(57)【要約】【課題】高温のガス経路での効率と負荷のシステム要件を満たし、タービン内の他の段の間の相互作用を最適化し、空気力学的効率をもたらし、空気力学的な目標寿命を最適化するノズルブレードのエーロフォイル輪郭を提供すること。【解決手段】タービン用の第１段の静翼が、基準輪郭を形成する径方向に間隔を置いて位置する複数の輪郭断面を定める、実質的に表１にインチで明記されるＸ、Ｙ、およびＺのデカルト座標値によるエーロフォイル輪郭を備える。各輪郭断面に関するＺ座標値は、タービン軸から輪郭断面を含む軸の周りの回転表面の一部分までの径方向の距離である。各輪郭断面に関するＸおよびＹの値は、滑らかに連続する弧によって結びつけられると、回転部分の表面に沿ってエーロフォイル輪郭断面を定める座標値である。径方向に間隔を置いて位置する輪郭断面は、互いに滑らかにつなぎ合わされて、基準のエーロフォイル輪郭を成す。【選択図】図１
2007198385.tif 000002
【特許請求の範囲】
【請求項１】
エーロフォイル（１８）を有するタービン用のノズルブレードであって、前記エーロフォイルが、基準輪郭を形成する複数の径方向に間隔を置いて位置する輪郭断面を定める、実質的に表１にインチで明記されるＸ、Ｙ、およびＺのデカルト座標値による被覆されていない前記基準輪郭を有し、各輪郭断面に関する前記Ｚ座標値が、タービン軸から前記輪郭断面を含む前記タービン軸の周りの回転表面部分までの径方向の距離であり、各輪郭断面に関する前記ＸおよびＹの値が、滑らかな連続した弧によって結びつけられると、前記回転表面部分に沿って前記エーロフォイル輪郭断面を定める座標値であり、前記径方向に間隔を置いて位置する輪郭断面が、互いに滑らかにつなぎ合わされて、前記基準のエーロフォイル輪郭を成すノズルブレード。
【請求項２】
タービン（１０）の第１段（１２）の一部分を形成する、請求項１記載のノズルブレード。
【請求項３】
エーロフォイル（１８）を有するタービン用のノズルブレードであって、  前記エーロフォイルが、任意のエーロフォイルの表面位置に対して垂直な方向に±４．０６４ｍｍ（±０．１６０インチ）以内のエンベロープの形状を有し、前記エーロフォイルは、基準輪郭を形成する複数の径方向に間隔を置いて位置する輪郭断面を定める、実質的に表１にインチで明記されるＸ、Ｙ、およびＺのデカルト座標値による被覆されていない前記基準輪郭を有し、各輪郭断面に関する前記Ｚ座標値が、タービン軸から前記輪郭断面を含む前記タービン軸の周りの回転表面部分までの径方向の距離であり、各輪郭断面に関する前記ＸおよびＹの値が、滑らかな連続した弧によって結びつけられると、前記回転表面部分に沿ってエーロフォイル輪郭断面を定める座標値であり、前記径方向に間隔を置いて位置する輪郭断面は、互いに滑らかにつなぎ合わされて、前記基準のエーロフォイル輪郭を成すノズルブレード。
【請求項４】
タービン（１０）の第１段（１２）の一部分を形成する、請求項３記載のノズルブレード。
【請求項５】
タービン段の一部分を形成する複数のノズルブレードを有するタービン（１０）であって、各前記ノズルブレードが、エーロフォイル（１８）の形状になっており、各エーロフォイルが、前記基準輪郭を形成する複数の径方向に間隔を置いて位置する輪郭断面を定める、実質的に表１にインチで明記されるＸ、Ｙ、およびＺのデカルト座標値による被覆されていない前記基準輪郭を有し、各輪郭断面に関する前記Ｚ座標値が、タービン軸から前記輪郭断面を含む前記タービン軸の周りの回転表面部分までの径方向の距離であり、各輪郭断面に関する前記ＸおよびＹの値が、滑らかな連続した弧によって結びつけられると、前記回転表面部分に沿ってエーロフォイル輪郭断面を定める座標値であり、前記径方向に間隔を置いて位置する輪郭断面が、互いに滑らかにつなぎ合わされて、基準のエーロフォイル輪郭を成すタービン。
【請求項６】
前記ノズルブレードが前記タービン（１０）の第１段（１２）の一部分を形成する、請求項５記載のタービン。
【請求項７】
タービン段の一部分を形成する複数のノズルブレードを有するタービン（１０）であって、各前記ノズルブレードが、エーロフォイル（１８）の形状になっており、各前記エーロフォイルが、基準輪郭を形成する複数の径方向に間隔を置いて位置する輪郭断面を定める、実質的に表１にインチで明記されるＸ、Ｙ、およびＺのデカルト座標値による被覆されていない前記基準輪郭を有し、各輪郭断面に関する前記Ｚ座標値が、タービン軸から前記輪郭断面を含む前記タービン軸の周りの回転表面部分までの径方向の距離であり、各輪郭断面に関するＸおよびＹの値が、滑らかな連続した弧によって結びつけられると、前記回転表面部分に沿ってエーロフォイル輪郭断面を定める座標値であり、前記径方向に間隔を置いて位置する輪郭断面が、互いに滑らかにつなぎ合わされて、前記基準のエーロフォイル輪郭を成し、各前記エーロフォイルは、任意のエーロフォイル表面位置に垂直の方向に±４．０６４ｍｍ（±０．０１６０インチ）以内の形状を有するタービン。
【請求項８】
前記ノズルブレードがタービン（１０）の第１段（１２）の一部分を形成する、請求項７記載のタービン。
【請求項９】
前記各エーロフォイルが、前記エーロフォイルおよび内側壁（２４）および外側壁（２６）を備えるノズルセグメント（２８）の一部分を形成する、請求項７記載のタービン。
【発明の詳細な説明】
【技術分野】
【０００１】
本発明はタービンに関し、詳細にはガスタービン用のノズルブレードのエーロフォイル輪郭、特に第１段のノズルブレードの輪郭に関する。
【背景技術】
【０００２】
タービンの高温のガス経路は、効率と負荷のシステム要件を満たすノズルブレードの輪郭を必要とする。ノズルブレードのエーロフォイル形状は、タービン内のその他の段の間の相互作用を最適化し、空気力学的効率をもたらし、空気力学的な目標寿命（ｌｉｆｅ  ｏｂｊｅｃｔｉｖｅｓ）を最適化する必要がある。特に、ノズルブレードのエーロフォイル輪郭は、ノズル段の位置安定性および部品寿命に影響を与える。
【発明の開示】
【発明が解決しようとする課題】
【０００３】
したがって、これらの目的を最適化するノズルのエーロフォイル輪郭が求められる。
【課題を解決するための手段】
【０００４】
本発明の好ましい一実施形態では、エーロフォイルを有するタービン用のノズルブレードが提供され、そのエーロフォイルは、基準輪郭を形成する複数の径方向に間隔を置いて位置する輪郭断面を定める、実質的に表１にインチで明記されるＸ、Ｙ、およびＺのデカルト座標値による被覆されていない基準輪郭を有し、各輪郭断面に関するＺ座標値は、タービン軸から輪郭断面を含むタービン軸の周りの回転表面部分までの径方向の距離であり、各輪郭断面に関するＸおよびＹの値は、滑らかな連続した弧によって結びつけられると、回転表面部分に沿ってエーロフォイル輪郭断面を定める座標値であり、径方向に間隔を置いて位置する輪郭断面は、互いに滑らかにつなぎ合わされて、基準のエーロフォイル輪郭を成す。
【０００５】
本発明の別の好ましい一実施形態では、エーロフォイルを有するタービン用のノズルブレードが提供され、そのエーロフォイルは、任意のエーロフォイルの表面位置に対して垂直な方向に±４．０６４ｍｍ（±０．１６０インチ）以内のエンベロープ（ｅｎｖｅｌｏｐｅ）の形状を有し、そのエーロフォイルは、基準輪郭を形成する複数の径方向に間隔を置いて位置する輪郭断面を定める、実質的に表１にインチで明記されるＸ、Ｙ、およびＺのデカルト座標値による被覆されていない基準輪郭を有し、各輪郭断面に関するＺ座標値は、タービン軸から輪郭断面を含むタービン軸の周りの回転表面部分までの径方向の距離であり、各輪郭断面に関するＸおよびＹの値は、滑らかな連続した弧によって結びつけられると、回転表面部分に沿ってエーロフォイル輪郭断面を定める座標値であり、径方向に間隔を置いて位置する輪郭断面は、互いに滑らかにつなぎ合わされて、基準のエーロフォイル輪郭を成す。
【０００６】
本発明の更に別の好ましい一実施形態では、タービン段の一部分を形成する複数のノズルブレードを有するタービンが提供され、各ノズルブレードは、エーロフォイルの形状になっており、各エーロフォイルは、基準輪郭を形成する複数の径方向に間隔を置いて位置する輪郭断面を定める、実質的に表１にインチで明記されるＸ、Ｙ、およびＺのデカルト座標値による被覆されていない基準輪郭を有し、各輪郭断面に関するＺ座標値は、タービン軸から輪郭断面を含むタービン軸の周りの回転表面部分までの径方向の距離であり、各輪郭断面に関するＸおよびＹの値は、滑らかな連続した弧によって結びつけられると、回転表面部分に沿ってエーロフォイル輪郭断面を定める座標値であり、径方向に間隔を置いて位置する輪郭断面は、互いに滑らかにつなぎ合わされて、基準のエーロフォイル輪郭を成す。
【０００７】
本発明の別の好ましい態様では、タービン段の一部分を形成する複数のノズルブレードを有するタービンが提供され、各ノズルブレードは、エーロフォイルの形状になっており、各エーロフォイルは、基準輪郭を形成する複数の径方向に間隔を置いて位置する輪郭断面を定める、実質的に表１にインチで明記されるＸ、Ｙ、およびＺのデカルト座標値による被覆されていない基準輪郭を有し、各輪郭断面に関するＺ座標値は、タービン軸から輪郭断面を含むタービン軸の周りの回転表面部分までの径方向の距離であり、各輪郭断面に関するＸおよびＹの値は、滑らかな連続した弧によって結びつけられた場合、回転表面部分に沿ってエーロフォイル輪郭断面を定める座標値であり、径方向に間隔を置いて位置する輪郭断面は、互いに滑らかにつなぎ合わされて、基準のエーロフォイル輪郭を成し、各エーロフォイルは、任意のエーロフォイル表面位置に垂直の方向に±４．０６４ｍｍ（０．０１６０インチ）以内の形状を有する。
【発明を実施するための最良の形態】
【０００８】
次に図１を参照すると、全体的に１０で示されるタービンの一部分が示され、そのタービンは、全体的に１２で示される第１段を含む複数の段を備える。第１段は、複数の円周方向に間隔を置いて配置されたノズル１４、ならびにロータ１７に装着されたバケット１６を備える。第１段のノズル１４は、下記に明記されるような特定のエーロフォイル形状または輪郭の複数の円周方向に間隔を置いて配置されたエーロフォイルまたはブレード１８を有する。
【０００９】
図１および２を参照すると、各ノズルのエーロフォイルのエーロフォイル形状または輪郭が、それぞれ前縁２０および後縁２２を備える。ノズルのエーロフォイルは、内側壁２４と外側壁２６のそれぞれの間に配置される。側壁、および側壁の間のエーロフォイルは、図２に全体的に２８で示されるノズルセグメントを構成する。第１段のノズルの好ましい図示された実施形態では、円周方向に間隔を置いて配置された４８個のブレード、したがって４８個のセグメント２８がある。
【００１０】
各第１段のノズルブレードは、Ｘ、Ｙ、およびＺの値のデカルト座標系によって定められるエーロフォイル輪郭を有する。座標値は、下記の表１にインチで明記される。デカルト座標系は垂直に関連付けられたＸ、Ｙ、およびＺ軸を有する。Ｘ軸は、タービンロータの中心線、すなわちロータ軸に沿って位置する。Ｚ軸はタービンロータの中心線から、Ｘ、Ｙ、およびＺの座標値のそれぞれの組に関するＸおよびＹの座標値までの半径に沿って延びる。すなわち、各Ｚの距離は、タービン軸に沿って０で始まり、それらのＸ、Ｙ、およびＺの座標値に関して、Ｘ、およびＹの座標値によって定められる点まで延びる。
【００１１】
内側壁と外側壁の間のエーロフォイル輪郭断面は、Ｘ、Ｙ、およびＺの座標値の１１の組、したがって図３に点線によって表示される１１の輪郭断面で与えられる。各輪郭断面は、タービン軸の周りの回転表面の一部分に位置し、それと一致した形状になる。たとえば、点線での最も外側の線３０によって図１に示されるように、単一のエーロフォイルに関するその位置にある輪郭断面は、タービン軸の周りの回転円錐面の一部分に位置する。輪郭断面それ自体は、タービン軸の周りの回転の円錐面の表面部分に沿って、弧状の円周方向、および長手方向の両方に延びる。したがって、表１のＸ、Ｙ、およびＺの座標値によって定められる輪郭断面は、円周方向に平面ではなく弧状の範囲を有する。輪郭断面はタービン軸に垂直な平面にとられないので、Ｚ座標値は、各輪郭断面に関するＸ、Ｙ、およびＺの座標値の各組の中で互いに異なる。
【００１２】
タービン軸からの半径に沿ってＺ方向に選択された位置でＸ、およびＹ座標値を定めることによって、１１の断面の各エーロフォイル断面の輪郭を確認することができる。各輪郭断面のＸ、Ｙ、およびＺの値を滑らかな連続する弧によって結びつけることによって各断面でのブレードの輪郭が確認できる。輪郭断面の間の様々な表面位置での表面輪郭は、互いに滑らかに結びつけられて、基準のエーロフォイル輪郭を成す。
【００１３】
表１に与えられる表の値はインチ表示であり、非動作のまたは非高温の周囲条件でのエーロフォイル輪郭を表し、被覆されていないエーロフォイルに関するものである。表１に与えられるＸ、Ｙ、およびＺの座標値は、文字Ｅとその後に続く数値によって表される科学的表記での表示である。数値は、インチでの実際の値を与えるための科学的表記Ｅに先行する数の小数点を移動するためのスペースの数を表す。正または負の記号は小数点の移動の方向を示し、すなわち正の記号は小数点の右への移動を示し、負の記号は小数点の左への移動を示す。各輪郭断面に関する表１のＸ、Ｙ、およびＺの座標値によって定義される７８個の点は、エーロフォイルの各輪郭断面に関する基準の低温または室温の輪郭に対するものである。
【００１４】
エーロフォイルの実際の輪郭に組み入れられる必要のある、一般的な製造公差ならびに被覆が存在する。したがって、表１に与えられる輪郭に関する値は、基準のエーロフォイルに関するものである。したがって、一般的な製造公差すなわち±の値および被覆の厚さは、下記の表１に与えられるＸ、Ｙ、およびＺ値に加えたものまたはそこから減じたものであることが理解されよう。したがって、エーロフォイル輪郭に沿った任意の表面位置に対して垂直な方向の±４．０６４ｍｍ（±０．１６０インチ）の距離は、この特定のエーロフォイル設計に関するエーロフォイルのエンベロープを定める。好ましい一実施形態では、下記の表１に与えられるブレードのエーロフォイル輪郭は、タービンの第１段のブレードに関するものである。
【００１５】
下記の表１に与えられる座標値はインチ表示であり、好ましい基準輪郭のエンベロープをもたらす。
【００１６】
[表１]
X             Y                Z
-7.91400E-01,  2.19440E+00,   4.62400E+01
-1.46860E+00,  -7.08000E-02,  4.63382E+01
-2.49950E+00,  -1.61540E+00,  4.64562E+01
-3.00010E+00,  -1.75920E+00,  4.71098E+01
-3.58100E+00,  -1.66730E+00,  4.66623E+01
-1.17520E+00,   8.28900E-01,  4.63053E+01
-2.18940E+00,  -1.31720E+00,  4.69255E+01
-1.90340E+00,  -9.35900E-01,  4.68823E+01
-1.64400E+00,  -5.10500E-01,  4.63543E+01
-1.68200E+00,  -5.11500E-01,  4.68609E+01
-3.75040E+00,  -1.58720E+00,  4.66998E+01
-2.94070E+00,  -1.76720E+00,  4.65327E+01
-1.34690E+00,  3.85000E-01,  4.68318E+01
-3.81010E+00,  -1.57810E+00,  4.73251E+01
-9.36900E-01,  1.76060E+00,  4.67806E+01
-1.31550E+00,  3.77100E-01,  4.63226E+01
-2.13820E+00,  -1.31390E+00,  4.64057E+01
-1.04270E+00,  1.28290E+00,  4.62860E+01
-3.40410E+00,  -1.72810E+00,  4.66244E+01
-1.06760E+00,  1.30040E+00,  4.68006E+01
-3.64020E+00,  -1.65790E+00,  4.72780E+01
-1.20340E+00,  8.41500E-01,  4.68172E+01
-1.85960E+00,  -9.32000E-01,  4.63743E+01
-1.50310E+00,  -6.75000E-02,  4.68456E+01
-2.55740E+00,  -1.61370E+00,  4.70003E+01
-8.09800E-01,  2.22150E+00,  4.67578E+01
-9.15200E-01,  1.73830E+00,  4.62645E+01
-3.46300E+00,  -1.71840E+00,  4.72298E+01
-4.12760E+00,  -1.37460E+00,  4.74133E+01
-3.24230E+00,  3.58900E-01,  4.72028E+01
-4.27560E+00,  -1.25610E+00,  4.74547E+01
-4.41700E+00,  -1.12900E+00,  4.74944E+01
-2.93770E+00,  5.19600E-01,  4.71239E+01
-3.97260E+00,  -1.48270E+00,  4.73701E+01
-4.65190E+00,  -3.36500E-01,  4.75671E+01
-4.56290E+00,  -2.28000E-01,  4.75448E+01
-4.55230E+00,  -9.94700E-01,  4.75322E+01
-4.68450E+00,  -3.99400E-01,  4.75750E+01
-4.08030E+00,  4.35000E-02,  4.74210E+01
-3.56180E+00,  2.31200E-01,  4.72860E+01
-4.70810E+00,  -4.66300E-01,  4.75804E+01
-3.82180E+00,  1.40400E-01,  4.73543E+01
-4.33070E+00,  -7.49000E-02,  4.74855E+01
-3.69170E+00,  1.85600E-01,  4.73200E+01
-4.66900E+00,  -8.43600E-01,  4.75652E+01
-4.72700E+00,  -6.10600E-01,  4.75837E+01
-4.70530E+00,  -7.54200E-01,  4.75760E+01
-4.70810E+00,  -4.66300E-01,  4.75804E+01
-3.95160E+00,  9.37000E-02,  4.73879E+01
-4.20700E+00,  -1.21000E-02,  4.74537E+01
-4.72430E+00,  -6.59000E-01,  4.75823E+01
-4.69760E+00,  -4.32900E-01,  4.75780E+01
-4.45030E+00,  -1.45800E-01,  4.75161E+01
-4.61110E+00,  -2.79000E-01,  4.75570E+01
-4.66930E+00,  -3.67300E-01,  4.75713E+01
-4.71870E+00,  -5.12600E-01,  4.75827E+01
-4.72520E+00,  -5.61800E-01,  4.75838E+01
-1.95140E+00,  1.48070E+00,  4.68752E+01
-1.90400E+00,  1.45400E+00,  4.63668E+01
-1.04790E+00,  2.95140E+00,  4.62099E+01
-4.91700E-01,  3.33630E+00,  4.61655E+01
-1.22700E+00,  2.67560E+00,  4.67495E+01
-2.11350E+00,  1.17970E+00,  4.64054E+01
-5.62100E-01,  3.14460E+00,  4.67036E+01
-4.32900E-01,  3.56480E+00,  4.61481E+01
-1.56730E+00,  2.06430E+00,  4.68061E+01
-1.20160E+00,  2.64220E+00,  4.62393E+01
-1.39280E+00,  2.36750E+00,  4.67768E+01
-4.35360E+00,  -1.14010E+00,  4.68374E+01
-2.59710E+00,  6.89500E-01,  4.64965E+01
-2.16550E+00,  1.20630E+00,  4.69234E+01
-6.23400E-01,  2.91380E+00,  4.67183E+01
-2.39930E+00,  9.49800E-01,  4.69808E+01
-6.85100E-01,  2.68300E+00,  4.67322E+01
-2.65620E+00,  7.18200E-01,  4.70470E+01
-2.34330E+00,  9.22500E-01,  4.64484E+01
-2.87670E+00,  4.89100E-01,  4.65516E+01
-5.01200E-01,  3.37560E+00,  4.66882E+01
-4.21310E+00,  -1.26610E+00,  4.68047E+01
-3.17970E+00,  3.27400E-01,  4.66111E+01
-5.50900E-01,  3.10780E+00,  4.61819E+01
-3.91190E+00,  -1.49170E+00,  4.67359E+01
-1.06810E+00,  2.98760E+00,  4.67231E+01
-1.53120E+00,  2.03530E+00,  4.63000E+01
-6.10300E-01,  2.87940E+00,  4.61976E+01
-1.36210E+00,  2.33640E+00,  4.62692E+01
-8.99600E-01,  3.26330E+00,  4.61812E+01
-4.40500E-01,  3.60660E+00,  4.66720E+01
-1.71090E+00,  1.74040E+00,  4.63322E+01
-3.74400E-01,  3.79340E+00,  4.61299E+01
-6.70200E-01,  2.65100E+00,  4.62126E+01
-1.75260E+00,  1.76800E+00,  4.68386E+01
-4.06600E+00,  -1.38400E+00,  4.67710E+01
-3.80200E-01,  3.83750E+00,  4.66550E+01
-3.20000E-01,  4.06850E+00,  4.66372E+01
-3.02400E-01,  4.56410E+00,  4.60606E+01
-4.10500E-01,  4.41760E+00,  4.66029E+01
-4.58550E+00,  -3.57400E-01,  4.68989E+01
-4.61780E+00,  -4.19400E-01,  4.69052E+01
-4.26640E+00,  -9.92000E-02,  4.68329E+01
-4.48810E+00,  -1.00720E+00,  4.68688E+01
-4.64130E+00,  -4.85300E-01,  4.69096E+01
-4.49730E+00,  -2.50200E-01,  4.68809E+01
-6.22700E-01,  3.93770E+00,  4.66432E+01
-5.51500E-01,  4.09740E+00,  4.66298E+01
-4.80800E-01,  4.25740E+00,  4.66163E+01
-6.94600E-01,  3.77830E+00,  4.66564E+01
-2.48400E-01,  4.56670E+00,  4.60610E+01
-3.40600E-01,  4.57790E+00,  4.65893E+01
-4.08600E-01,  4.36720E+00,  4.60790E+01
-3.25100E-01,  4.54850E+00,  4.60619E+01
-7.67200E-01,  3.61920E+00,  4.66698E+01
-4.63090E+00,  -4.52500E-01,  4.69077E+01
-2.06900E-01,  4.53220E+00,  4.60652E+01
-4.63920E+00,  -7.69200E-01,  4.69054E+01
-2.24400E-01,  4.55340E+00,  4.60628E+01
-4.66030E+00,  -6.27500E-01,  4.69119E+01
-8.40700E-01,  3.46050E+00,  4.66830E+01
-4.65180E+00,  -5.30900E-01,  4.69114E+01
-4.01660E+00,  1.67000E-02,  4.67812E+01
-6.15100E-01,  3.89250E+00,  4.61234E+01
-5.45800E-01,  4.05050E+00,  4.61087E+01
-2.48400E-01,  4.56670E+00,  4.60610E+01
-2.58000E-01,  4.25030E+00,  4.60912E+01
-4.60270E+00,  -3.87800E-01,  4.69023E+01
-3.02300E-01,  4.61630E+00,  4.65868E+01
-1.98400E-01,  4.50620E+00,  4.60679E+01
-2.48100E-01,  4.61880E+00,  4.65886E+01
-4.38550E+00,  -1.69000E-01,  4.68577E+01
-3.49860E+00,  2.00300E-01,  4.66749E+01
-2.48100E-01,  4.61880E+00,  4.65886E+01
-4.54510E+00,  -3.00600E-01,  4.68907E+01
-2.00100E-01,  4.47880E+00,  4.60705E+01
-4.14300E+00,  -3.77000E-02,  4.68073E+01
-9.15300E-01,  3.30230E+00,  4.66964E+01
-6.85100E-01,  3.73470E+00,  4.61379E+01
-2.60000E-01,  4.29950E+00,  4.66187E+01
-4.77000E-01,  4.20870E+00,  4.60940E+01
-2.00100E-01,  4.53050E+00,  4.65994E+01
-2.75600E-01,  4.57050E+00,  4.60603E+01
-8.27100E-01,  3.42000E+00,  4.61668E+01
-3.40400E-01,  4.52570E+00,  4.60641E+01
-7.55700E-01,  3.57720E+00,  4.61525E+01
-2.75400E-01,  4.62270E+00,  4.65871E+01
-3.62830E+00,  1.55300E-01,  4.67015E+01
-3.25100E-01,  4.60070E+00,  4.65876E+01
-3.16100E-01,  4.02180E+00,  4.61110E+01
-4.65770E+00,  -6.75200E-01,  4.69108E+01
-2.06700E-01,  4.58400E+00,  4.65938E+01
-4.65840E+00,  -5.79400E-01,  4.69121E+01
-1.98300E-01,  4.55790E+00,  4.65968E+01
-4.64130E+00,  -4.85300E-01,  4.69096E+01
-2.24100E-01,  4.60540E+00,  4.65910E+01
-4.60350E+00,  -8.57500E-01,  4.68962E+01
-3.88800E+00,  6.57000E-02,  4.67547E+01
-3.75830E+00,  1.11200E-01,  4.67283E+01
-7.73900E-01,  2.16110E+00,  4.57051E+01
-1.22960E+00,  3.13400E-01,  4.46542E+01
-3.85190E+00,  -1.50240E+00,  4.60981E+01
-1.74550E+00,  -9.65600E-01,  4.46764E+01
-1.57530E+00,  -5.34800E-01,  4.52522E+01
-3.46620E+00,  -1.68990E+00,  4.54126E+01
-9.95600E-01,  1.22860E+00,  4.51979E+01
-3.73390E+00,  -1.52470E+00,  4.48058E+01
-8.74100E-01,  1.67650E+00,  4.51779E+01
-1.25760E+00,  3.38000E-01,  4.52298E+01
-1.82080E+00,  -9.39500E-01,  4.58311E+01
-3.23720E+00,  -1.76320E+00,  4.47594E+01
-1.01900E+00,  1.25730E+00,  4.57510E+01
-3.34700E+00,  -1.74000E+00,  4.60128E+01
-2.83180E+00,  -1.79200E+00,  4.53420E+01
-1.37510E+00,  -1.23400E-01,  4.46631E+01
-3.63340E+00,  -1.60910E+00,  4.54340E+01
-1.28640E+00,  3.59300E-01,  4.57866E+01
-2.35160E+00,  -1.64810E+00,  4.46998E+01
-2.04930E+00,  -1.33080E+00,  4.52793E+01
-1.43700E+00,  -8.47000E-02,  4.58011E+01
-2.44770E+00,  -1.62460E+00,  4.58898E+01
-1.09700E+00,  7.54100E-01,  4.46422E+01
-3.41070E+00,  -1.70100E+00,  4.47745E+01
-8.94600E-01,  1.70880E+00,  4.57296E+01
-1.78260E+00,  -9.50700E-01,  4.52635E+01
-3.79250E+00,  -1.51350E+00,  4.54555E+01
-1.60950E+00,  -5.20700E-01,  4.58150E+01
-7.39600E-01,  2.08680E+00,  4.45881E+01
-3.52310E+00,  -1.67860E+00,  4.60414E+01
-1.12250E+00,  7.82200E-01,  4.52151E+01
-2.00770E+00,  -1.34380E+00,  4.46853E+01
-1.54190E+00,  -5.52500E-01,  4.46699E+01
-2.78130E+00,  -1.80440E+00,  4.47254E+01
-7.56500E-01,  2.12520E+00,  4.51544E+01
-1.14870E+00,  8.07200E-01,  4.57699E+01
-9.72800E-01,  1.19710E+00,  4.46274E+01
-3.29130E+00,  -1.75190E+00,  4.53914E+01
-2.88520E+00,  -1.77940E+00,  4.59448E+01
-1.40570E+00,  -1.02300E-01,  4.52417E+01
-3.69140E+00,  -1.59810E+00,  4.60699E+01
-8.54100E-01,  1.64150E+00,  4.46096E+01
-2.39810E+00,  -1.63560E+00,  4.53033E+01
-3.57630E+00,  -1.62010E+00,  4.47900E+01
-2.09300E+00,  -1.32070E+00,  4.58542E+01
-1.17980E+00,  2.60480E+00,  4.57053E+01
-2.81980E+00,  4.58100E-01,  4.59677E+01
-2.06920E+00,  1.14970E+00,  4.58559E+01
-3.12030E+00,  2.96200E-01,  4.60116E+01
-3.94420E+00,  -1.40610E+00,  4.54768E+01
-2.49340E+00,  6.28100E-01,  4.53381E+01
-3.68800E-01,  3.74650E+00,  4.55923E+01
-4.15070E+00,  -1.27750E+00,  4.61525E+01
-4.00480E+00,  -1.39480E+00,  4.61257E+01
-1.47230E+00,  1.96640E+00,  4.52043E+01
-1.64330E+00,  1.67470E+00,  4.52302E+01
-5.40000E-01,  3.06680E+00,  4.56459E+01
-4.25600E-01,  3.51990E+00,  4.56110E+01
-5.97700E-01,  2.84030E+00,  4.56619E+01
-1.50090E+00,  2.00190E+00,  4.57634E+01
-1.67610E+00,  1.70850E+00,  4.57930E+01
-2.76570E+00,  4.26900E-01,  4.53687E+01
-2.54380E+00,  6.59100E-01,  4.59268E+01
-1.01320E+00,  2.86990E+00,  4.51243E+01
-2.29440E+00,  8.92600E-01,  4.58898E+01
-4.22740E+00,  -1.16520E+00,  4.55180E+01
-3.06330E+00,  2.65400E-01,  4.54004E+01
-6.55900E-01,  2.61380E+00,  4.56772E+01
-2.24820E+00,  8.61500E-01,  4.53098E+01
-1.82730E+00,  1.39080E+00,  4.52563E+01
-1.15920E+00,  2.56530E+00,  4.51515E+01
-1.86440E+00,  1.42330E+00,  4.58237E+01
-4.82600E-01,  3.29330E+00,  4.56289E+01
-1.03010E+00,  2.91170E+00,  4.56762E+01
-1.31160E+00,  2.26380E+00,  4.51782E+01
-2.02750E+00,  1.11810E+00,  4.52829E+01
-4.29030E+00,  -1.15240E+00,  4.61784E+01
-4.08890E+00,  -1.28940E+00,  4.54976E+01
-1.33610E+00,  2.30120E+00,  4.57344E+01
-3.76470E+00,  1.25000E-02,  4.54775E+01
-2.07200E-01,  4.47940E+00,  4.55255E+01
-3.25300E-01,  4.49510E+00,  4.55242E+01
-4.51790E+00,  -5.67600E-01,  4.55660E+01
-3.63610E+00,  5.56000E-02,  4.54627E+01
-3.82570E+00,  3.88000E-02,  4.61184E+01
-4.41330E+00,  -3.43000E-01,  4.55549E+01
-6.08400E-01,  3.84490E+00,  4.55887E+01
-4.46960E+00,  -4.28200E-01,  4.55613E+01
-4.01740E+00,  -8.62000E-02,  4.55072E+01
-4.25700E+00,  -2.13500E-01,  4.55360E+01
-4.50670E+00,  -8.00200E-01,  4.55610E+01
-1.98600E-01,  4.45340E+00,  4.55281E+01
-3.56690E+00,  1.26200E-01,  4.60784E+01
-4.59140E+00,  -5.97100E-01,  4.62392E+01
-4.52650E+00,  -6.61800E-01,  4.55659E+01
-3.43760E+00,  1.70300E-01,  4.60588E+01
-4.57430E+00,  -5.04200E-01,  4.62374E+01
-4.53790E+00,  -8.72100E-01,  4.62257E+01
-4.49720E+00,  -4.91300E-01,  4.55642E+01
-4.59090E+00,  -6.91800E-01,  4.62377E+01
-2.00100E-01,  4.42600E+00,  4.55307E+01
-4.51910E+00,  -3.78000E-01,  4.62293E+01
-2.76100E-01,  4.51730E+00,  4.55218E+01
-6.76600E-01,  3.68850E+00,  4.56036E+01
-4.55100E+00,  -4.39100E-01,  4.62342E+01
-4.20260E+00,  -1.22600E-01,  4.61783E+01
-3.12300E-01,  3.97300E+00,  4.55727E+01
-2.56100E-01,  4.19950E+00,  4.55521E+01
-4.57430E+00,  -5.04200E-01,  4.62374E+01
-4.43190E+00,  -2.71900E-01,  4.62155E+01
-7.45400E-01,  3.53240E+00,  4.56185E+01
-3.95380E+00,  -8.90000E-03,  4.61386E+01
-4.36010E+00,  -1.03470E+00,  4.55377E+01
-2.48800E-01,  4.51370E+00,  4.55221E+01
-3.69650E+00,  8.31000E-02,  4.60983E+01
-4.47240E+00,  -8.87000E-01,  4.55551E+01
-8.15000E-01,  3.37650E+00,  4.56331E+01
-8.85600E-01,  3.22110E+00,  4.56476E+01
-4.73700E-01,  4.15830E+00,  4.55581E+01
-4.50740E+00,  -5.23100E-01,  4.55652E+01
-4.50740E+00,  -5.23100E-01,  4.55652E+01
-4.52420E+00,  -7.08500E-01,  4.55649E+01
-3.02800E-01,  4.51080E+00,  4.55225E+01
-4.45270E+00,  -3.98500E-01,  4.55594E+01
-4.52450E+00,  -6.14800E-01,  4.55663E+01
-4.48430E+00,  -4.58900E-01,  4.55629E+01
-4.13940E+00,  -1.45600E-01,  4.55217E+01
-4.47910E+00,  -3.21900E-01,  4.62230E+01
-3.40500E-01,  4.47230E+00,  4.55266E+01
-4.36660E+00,  -2.93500E-01,  4.55494E+01
-2.24700E-01,  4.50040E+00,  4.55234E+01
-4.53610E+00,  -4.08100E-01,  4.62319E+01
-4.58480E+00,  -5.49300E-01,  4.62386E+01
-3.89210E+00,  -3.41000E-02,  4.54923E+01
-4.32110E+00,  -1.91400E-01,  4.61975E+01
-4.57290E+00,  -7.84600E-01,  4.62333E+01
-4.59340E+00,  -6.44600E-01,  4.62389E+01
-5.40800E-01,  4.00150E+00,  4.55734E+01
-3.50710E+00,  9.77000E-02,  4.54485E+01
-4.42400E+00,  -1.02070E+00,  4.62037E+01
-4.07980E+00,  -6.21000E-02,  4.61586E+01
-4.56400E+00,  -4.71900E-01,  4.62359E+01
-2.48800E-01,  4.51370E+00,  4.55221E+01
-4.07000E-01,  4.31530E+00,  4.55424E+01
-3.37850E+00,  1.40900E-01,  4.54344E+01
-3.63300E-01,  3.69810E+00,  4.50435E+01
-4.18300E-01,  3.47330E+00,  4.50621E+01
-5.29200E-01,  3.02380E+00,  4.50966E+01
-5.85200E-01,  2.79900E+00,  4.51124E+01
-5.73100E-01,  2.75560E+00,  4.45488E+01
-8.59800E-01,  3.13100E+00,  4.45300E+01
-2.71520E+00,  3.95900E-01,  4.47552E+01
-5.18700E-01,  2.97870E+00,  4.45338E+01
-9.97400E-01,  2.82630E+00,  4.45549E+01
-1.61340E+00,  1.63920E+00,  4.46478E+01
-3.88410E+00,  -1.41780E+00,  4.48218E+01
-6.28000E-01,  2.53260E+00,  4.45629E+01
-1.44610E+00,  1.92900E+00,  4.46257E+01
-4.16460E+00,  -1.17850E+00,  4.48530E+01
-3.32190E+00,  1.12100E-01,  4.48002E+01
-3.00950E+00,  2.35000E-01,  4.47771E+01
-2.20600E+00,  8.29700E-01,  4.47119E+01
-1.79340E+00,  1.35690E+00,  4.46696E+01
-1.14000E+00,  2.52380E+00,  4.45793E+01
-6.41800E-01,  2.57430E+00,  4.51274E+01
-4.64800E-01,  3.20190E+00,  4.45177E+01
-3.58000E-01,  3.64820E+00,  4.44829E+01
-1.98950E+00,  1.08550E+00,  4.46911E+01
-4.02740E+00,  -1.30180E+00,  4.48375E+01
-2.44690E+00,  5.96800E-01,  4.47331E+01
-4.73600E-01,  3.24850E+00,  4.50799E+01
-1.28900E+00,  2.22440E+00,  4.46030E+01
-4.11200E-01,  3.42500E+00,  4.45008E+01
-4.44020E+00,  -5.42100E-01,  4.48903E+01
-4.67700E-01,  4.05330E+00,  4.44483E+01
-4.44020E+00,  -5.42100E-01,  4.48903E+01
-4.45730E+00,  -7.25500E-01,  4.48893E+01
-3.08700E-01,  3.92280E+00,  4.50239E+01
-4.45720E+00,  -6.32800E-01,  4.48907E+01
-4.41730E+00,  -4.78700E-01,  4.48889E+01
-4.07660E+00,  -1.68400E-01,  4.48604E+01
-2.49300E-01,  4.45970E+00,  4.49735E+01
-2.76600E-01,  4.46320E+00,  4.49733E+01
-1.98800E-01,  4.34500E+00,  4.44205E+01
-4.30140E+00,  -3.15000E-01,  4.48797E+01
-4.29620E+00,  -1.04920E+00,  4.48680E+01
-3.83140E+00,  -5.89000E-02,  4.48398E+01
-4.70600E-01,  4.10650E+00,  4.50098E+01
-2.25600E-01,  4.39180E+00,  4.44157E+01
-4.45070E+00,  -5.86200E-01,  4.48907E+01
-2.49800E-01,  4.40470E+00,  4.44144E+01
-6.60700E-01,  3.59100E+00,  4.44906E+01
-5.31500E-01,  3.89910E+00,  4.44628E+01
-3.03800E-01,  4.40120E+00,  4.44146E+01
-3.95570E+00,  -1.10000E-01,  4.48502E+01
-1.98700E-01,  4.39970E+00,  4.49793E+01
-7.26200E-01,  3.43730E+00,  4.45041E+01
-3.40700E-01,  4.41780E+00,  4.49784E+01
-2.25200E-01,  4.44660E+00,  4.49747E+01
-3.03200E-01,  4.45660E+00,  4.49742E+01
-3.05100E-01,  3.87130E+00,  4.44640E+01
-4.40290E+00,  -4.48400E-01,  4.48878E+01
-4.04200E-01,  4.20770E+00,  4.44336E+01
-4.19310E+00,  -2.35600E-01,  4.48704E+01
-5.36000E-01,  3.95110E+00,  4.50250E+01
-3.44940E+00,  6.98000E-02,  4.48097E+01
-4.44020E+00,  -8.16200E-01,  4.48861E+01
-4.34740E+00,  -3.64100E-01,  4.48834E+01
-4.45940E+00,  -6.79200E-01,  4.48902E+01
-8.72300E-01,  3.17700E+00,  4.50972E+01
-2.00000E-01,  4.31760E+00,  4.44232E+01
-2.49300E-01,  4.45970E+00,  4.49735E+01
-2.52400E-01,  4.09450E+00,  4.44441E+01
-6.68400E-01,  3.64060E+00,  4.50547E+01
-3.57740E+00,  2.88000E-02,  4.48193E+01
-4.43010E+00,  -5.10700E-01,  4.48897E+01
-3.26100E-01,  4.38520E+00,  4.44161E+01
-8.03500E-01,  3.33120E+00,  4.50832E+01
-2.77100E-01,  4.40810E+00,  4.44140E+01
-7.92600E-01,  3.28400E+00,  4.45172E+01
-2.07800E-01,  4.37090E+00,  4.44179E+01
-2.00000E-01,  4.37230E+00,  4.49820E+01
-4.05500E-01,  4.26220E+00,  4.49942E+01
-2.07500E-01,  4.42560E+00,  4.49768E+01
-5.95900E-01,  3.74500E+00,  4.44768E+01
-7.35500E-01,  3.48580E+00,  4.50691E+01
-2.49800E-01,  4.40470E+00,  4.44144E+01
-3.70500E+00,  -1.34000E-02,  4.48295E+01
-4.40670E+00,  -9.02300E-01,  4.48814E+01
-3.41000E-01,  4.36220E+00,  4.44185E+01
-6.02000E-01,  3.79570E+00,  4.50400E+01
-2.54200E-01,  4.14760E+00,  4.50034E+01
-4.38620E+00,  -4.19000E-01,  4.48866E+01
-3.25600E-01,  4.44070E+00,  4.49760E+01
-1.88140E+00,  -1.39520E+00,  4.27838E+01
-1.66920E+00,  -1.00350E+00,  4.34393E+01
-3.46230E+00,  -1.64260E+00,  4.34699E+01
-1.04260E+00,  6.89700E-01,  4.34324E+01
-3.18380E+00,  -1.77440E+00,  4.41145E+01
-1.13730E+00,  2.23400E-01,  4.27987E+01
-6.84500E-01,  1.95700E+00,  4.27584E+01
-9.24100E-01,  1.12590E+00,  4.34225E+01
-3.35550E+00,  -1.71200E+00,  4.41249E+01
-1.96650E+00,  -1.35920E+00,  4.40706E+01
-1.43360E+00,  -6.22200E-01,  4.27962E+01
-2.63310E+00,  -1.84250E+00,  4.27781E+01
-1.07080E+00,  7.23200E-01,  4.40474E+01
-2.26070E+00,  -1.67660E+00,  4.34368E+01
-1.50770E+00,  -5.73300E-01,  4.40656E+01
-2.73200E+00,  -1.81690E+00,  4.40925E+01
-1.30990E+00,  -1.74300E-01,  4.34418E+01
-7.89100E-01,  1.52140E+00,  4.27745E+01
-1.20080E+00,  2.85800E-01,  4.40566E+01
-3.24420E+00,  -1.73460E+00,  4.27863E+01
-3.13020E+00,  -1.78580E+00,  4.34561E+01
-3.40450E+00,  -1.65410E+00,  4.27905E+01
-9.49300E-01,  1.16270E+00,  4.40351E+01
-1.92450E+00,  -1.37630E+00,  4.34369E+01
-1.70810E+00,  -9.83500E-01,  4.40676E+01
-8.11700E-01,  1.56360E+00,  4.34089E+01
-3.51940E+00,  -1.63120E+00,  4.41357E+01
-2.21470E+00,  -1.69240E+00,  4.27781E+01
-8.33600E-01,  1.60380E+00,  4.40194E+01
-1.01330E+00,  6.54100E-01,  4.27943E+01
-1.16970E+00,  2.55700E-01,  4.34390E+01
-3.30010E+00,  -1.72330E+00,  4.34627E+01
-1.62890E+00,  -1.02560E+00,  4.27904E+01
-1.47140E+00,  -5.96700E-01,  4.34416E+01
-8.98100E-01,  1.08690E+00,  4.27864E+01
-2.68270E+00,  -1.82960E+00,  4.34437E+01
-1.27470E+00,  -2.03200E-01,  4.27992E+01
-1.34370E+00,  -1.47500E-01,  4.40624E+01
-2.30620E+00,  -1.66180E+00,  4.40772E+01
-3.07620E+00,  -1.79710E+00,  4.27828E+01
-2.66640E+00,  3.64800E-01,  4.41253E+01
-2.16530E+00,  7.97000E-01,  4.40942E+01
-3.76360E+00,  -1.44220E+00,  4.34860E+01
-5.98800E-01,  2.44180E+00,  4.33696E+01
-5.47400E-01,  2.66180E+00,  4.33572E+01
-1.72780E+00,  1.28460E+00,  4.34335E+01
-2.95710E+00,  2.04800E-01,  4.41394E+01
-5.60700E-01,  2.70980E+00,  4.39635E+01
-2.40210E+00,  5.64900E-01,  4.41097E+01
-1.55510E+00,  1.56320E+00,  4.34197E+01
-6.13900E-01,  2.48830E+00,  4.39767E+01
-4.10170E+00,  -1.19230E+00,  4.41819E+01
-1.58440E+00,  1.60190E+00,  4.40436E+01
-7.03600E-01,  2.00250E+00,  4.33913E+01
-3.82400E+00,  -1.42980E+00,  4.41588E+01
-3.96300E-01,  3.32170E+00,  4.33138E+01
-1.76070E+00,  1.32150E+00,  4.40613E+01
-3.61660E+00,  -1.54790E+00,  4.34778E+01
-1.91630E+00,  1.01640E+00,  4.34466E+01
-1.10190E+00,  2.43490E+00,  4.33704E+01
-4.46200E-01,  3.10170E+00,  4.33293E+01
-3.96590E+00,  -1.31460E+00,  4.41704E+01
-7.22200E-01,  2.04580E+00,  4.40000E+01
-5.08000E-01,  2.93130E+00,  4.39493E+01
-4.03900E-01,  3.37450E+00,  4.39180E+01
-2.61800E+00,  3.33300E-01,  4.34791E+01
-2.12470E+00,  7.63300E-01,  4.34582E+01
-1.24440E+00,  2.14000E+00,  4.33883E+01
-1.95300E+00,  1.05160E+00,  4.40783E+01
-1.42060E+00,  1.88990E+00,  4.40252E+01
-1.12120E+00,  2.48030E+00,  4.39850E+01
-4.96600E-01,  2.88170E+00,  4.33437E+01
-3.90400E+00,  -1.32780E+00,  4.34944E+01
-4.55800E-01,  3.15290E+00,  4.39342E+01
-1.39480E+00,  1.84900E+00,  4.34046E+01
-1.26690E+00,  2.18310E+00,  4.40057E+01
-2.90510E+00,  1.74600E-01,  4.34871E+01
-3.67540E+00,  -1.53610E+00,  4.41472E+01
-4.03840E+00,  -1.20640E+00,  4.35026E+01
-2.35750E+00,  5.32400E-01,  4.34689E+01
-3.64580E+00,  -3.89000E-02,  4.41722E+01
-3.04300E-01,  4.34380E+00,  4.38337E+01
-2.50300E-01,  4.34770E+00,  4.38340E+01
-4.36270E+00,  -5.30300E-01,  4.42109E+01
-2.08400E-01,  4.25520E+00,  4.32360E+01
-3.26630E+00,  8.36000E-02,  4.41539E+01
-2.97500E-01,  3.76190E+00,  4.32797E+01
-7.70400E-01,  3.18310E+00,  4.33204E+01
-4.30580E+00,  -8.49200E-01,  4.35212E+01
-2.00000E-01,  4.20200E+00,  4.32415E+01
-3.51930E+00,  2.20000E-03,  4.41658E+01
-7.07300E-01,  3.33410E+00,  4.33093E+01
-3.39260E+00,  4.22000E-02,  4.41598E+01
-3.26900E-01,  4.26780E+00,  4.32322E+01
-4.31480E+00,  -6.23900E-01,  4.35254E+01
-2.26000E-01,  4.33490E+00,  4.38356E+01
-4.31940E+00,  -4.39700E-01,  4.42091E+01
-4.02900E-01,  4.15110E+00,  4.38514E+01
-4.32370E+00,  -7.14800E-01,  4.35243E+01
-5.83300E-01,  3.63680E+00,  4.32859E+01
-3.52500E-01,  3.59610E+00,  4.39008E+01
-6.53000E-01,  3.53920E+00,  4.39047E+01
-4.26810E+00,  -4.89200E-01,  4.35253E+01
-9.81700E-01,  2.78040E+00,  4.39632E+01
-3.83250E+00,  -1.57300E-01,  4.35119E+01
-3.01400E-01,  3.81770E+00,  4.38826E+01
-4.16750E+00,  -1.07930E+00,  4.35108E+01
-9.65700E-01,  2.73270E+00,  4.33513E+01
-2.50900E-01,  4.28850E+00,  4.32318E+01
-5.27000E-01,  3.84490E+00,  4.38788E+01
-4.06480E+00,  -2.79800E-01,  4.35195E+01
-2.78300E-01,  4.29140E+00,  4.32309E+01
-4.21440E+00,  -4.06700E-01,  4.35240E+01
-2.08100E-01,  4.31410E+00,  4.38380E+01
-3.58670E+00,  -6.45000E-02,  4.35043E+01
-3.26500E-01,  4.32760E+00,  4.38350E+01
-4.37270E+00,  -5.61300E-01,  4.42112E+01
-2.48600E-01,  3.98200E+00,  4.32611E+01
-4.34060E+00,  -9.17900E-01,  4.42032E+01
-4.29460E+00,  -5.50100E-01,  4.35256E+01
-4.61700E-01,  3.94040E+00,  4.32609E+01
-4.38990E+00,  -7.42700E-01,  4.42096E+01
-2.00000E-01,  4.26090E+00,  4.38432E+01
-4.38960E+00,  -6.50900E-01,  4.42110E+01
-4.35010E+00,  -4.98600E-01,  4.42105E+01
-4.01390E+00,  -1.91300E-01,  4.41924E+01
-2.50300E-01,  4.34770E+00,  4.38340E+01
-4.37270E+00,  -5.61300E-01,  4.42112E+01
-4.23600E+00,  -3.36500E-01,  4.42049E+01
-2.77700E-01,  4.35080E+00,  4.38333E+01
-1.99200E-01,  4.22940E+00,  4.32388E+01
-3.77100E+00,  -8.35000E-02,  4.41789E+01
-5.89700E-01,  3.69200E+00,  4.38919E+01
-4.64800E-01,  3.99800E+00,  4.38653E+01
-7.81700E-01,  3.23460E+00,  4.39291E+01
-3.41600E-01,  4.24450E+00,  4.32341E+01
-4.25200E+00,  -4.60500E-01,  4.35250E+01
-2.50900E-01,  4.28850E+00,  4.32318E+01
-6.45000E-01,  3.48530E+00,  4.32978E+01
-3.21100E+00,  5.53000E-02,  4.34947E+01
-3.41300E-01,  4.30450E+00,  4.38372E+01
-4.30450E+00,  -5.80600E-01,  4.35256E+01
-8.47300E-01,  3.08280E+00,  4.39408E+01
-7.17000E-01,  3.38670E+00,  4.39171E+01
-3.04800E-01,  4.28420E+00,  4.32310E+01
-4.38300E+00,  -6.04900E-01,  4.42113E+01
-4.32130E+00,  -6.69300E-01,  4.35250E+01
-1.99000E-01,  4.28830E+00,  4.38406E+01
-3.95090E+00,  -2.14200E-01,  4.35158E+01
-4.27390E+00,  -9.33900E-01,  4.35183E+01
-4.16990E+00,  -3.58300E-01,  4.35228E+01
-4.32180E+00,  -7.60100E-01,  4.35235E+01
-2.26500E-01,  4.27580E+00,  4.32335E+01
-2.50500E-01,  4.03930E+00,  4.38635E+01
-3.46150E+00,  -2.43000E-02,  4.35009E+01
-3.89420E+00,  -1.33600E-01,  4.41857E+01
-3.71060E+00,  -1.08000E-01,  4.35081E+01
-3.33600E+00,  1.48000E-02,  4.34978E+01
-4.28220E+00,  -5.18800E-01,  4.35255E+01
-4.37340E+00,  -8.32600E-01,  4.42069E+01
-4.30450E+00,  -5.80600E-01,  4.35256E+01
-4.39180E+00,  -6.96900E-01,  4.42105E+01
-4.33580E+00,  -4.68700E-01,  4.42099E+01
-5.22300E-01,  3.78850E+00,  4.32735E+01
-8.34500E-01,  3.03250E+00,  4.33311E+01
-4.01500E-01,  4.09240E+00,  4.32477E+01
-4.23210E+00,  -1.06400E+00,  4.41931E+01
-4.12920E+00,  -2.57600E-01,  4.41989E+01
-3.46700E-01,  3.54180E+00,  4.32973E+01
-4.28110E+00,  -3.85300E-01,  4.42072E+01
-2.56980E+00,  3.01400E-01,  4.28158E+01
-3.88400E-01,  3.26670E+00,  4.26852E+01
-5.83500E-01,  2.39320E+00,  4.27382E+01
-2.08420E+00,  7.28800E-01,  4.28034E+01
-1.08250E+00,  2.38770E+00,  4.27326E+01
-1.69490E+00,  1.24660E+00,  4.27854E+01
-1.87970E+00,  9.80300E-01,  4.27952E+01
-5.33900E-01,  2.61150E+00,  4.27265E+01
-4.36500E-01,  3.04830E+00,  4.27000E+01
-9.49400E-01,  2.68290E+00,  4.27155E+01
-2.85320E+00,  1.44200E-01,  4.28189E+01
-2.31310E+00,  4.99300E-01,  4.28102E+01
-1.52570E+00,  1.52300E+00,  4.27745E+01
-1.22180E+00,  2.09520E+00,  4.27482E+01
-3.84140E+00,  -1.34140E+00,  4.28068E+01
-4.84900E-01,  2.82990E+00,  4.27139E+01
-1.36890E+00,  1.80660E+00,  4.27621E+01
-3.97430E+00,  -1.22090E+00,  4.28126E+01
-3.70250E+00,  -1.45490E+00,  4.28011E+01
-3.55710E+00,  -1.55990E+00,  4.27955E+01
-3.40800E-01,  3.48530E+00,  4.26693E+01
-3.88730E+00,  -2.37300E-01,  4.28279E+01
-2.78900E-01,  4.22950E+00,  4.26039E+01
-4.25290E+00,  -7.77900E-01,  4.28280E+01
-4.18370E+00,  -4.81600E-01,  4.28310E+01
-4.25210E+00,  -6.88000E-01,  4.28295E+01
-8.21500E-01,  2.98020E+00,  4.26972E+01
-2.51500E-01,  4.22690E+00,  4.26051E+01
-4.20630E+00,  -9.50100E-01,  4.28237E+01
-4.10310E+00,  -3.80300E-01,  4.28305E+01
-3.40340E+00,  -5.09000E-02,  4.28225E+01
-6.36900E-01,  3.42920E+00,  4.26665E+01
-3.64980E+00,  -1.32700E-01,  4.28249E+01
-2.46600E-01,  3.92230E+00,  4.26344E+01
-4.21340E+00,  -5.39200E-01,  4.28309E+01
-4.58500E-01,  3.88050E+00,  4.26319E+01
-4.23540E+00,  -6.00300E-01,  4.28305E+01
-3.41800E-01,  4.18210E+00,  4.26066E+01
-3.05400E-01,  4.22210E+00,  4.26038E+01
-7.59100E-01,  3.12960E+00,  4.26874E+01
-2.51500E-01,  4.22690E+00,  4.26051E+01
-1.99300E-01,  4.16820E+00,  4.26126E+01
-3.27930E+00,  -1.27000E-02,  4.28217E+01
-3.15560E+00,  2.68000E-02,  4.28210E+01
-5.76800E-01,  3.57950E+00,  4.26555E+01
-2.27000E-01,  4.21440E+00,  4.26071E+01
-4.23740E+00,  -8.66100E-01,  4.28260E+01
-4.00000E-01,  4.03130E+00,  4.26194E+01
-4.19950E+00,  -5.09900E-01,  4.28310E+01
-4.24560E+00,  -6.43100E-01,  4.28301E+01
-4.10190E+00,  -1.09490E+00,  4.28182E+01
-5.17400E-01,  3.72990E+00,  4.26439E+01
-6.97500E-01,  3.27930E+00,  4.26771E+01
-4.14670E+00,  -4.28300E-01,  4.28309E+01
-4.25460E+00,  -7.33000E-01,  4.28288E+01
-3.77020E+00,  -1.81200E-01,  4.28264E+01
-4.22570E+00,  -5.70100E-01,  4.28308E+01
-2.93500E-01,  3.70380E+00,  4.26524E+01
-3.99970E+00,  -3.02200E-01,  4.28293E+01
-3.52710E+00,  -9.00000E-02,  4.28236E+01
-1.99900E-01,  4.14080E+00,  4.26153E+01
-3.27400E-01,  4.20560E+00,  4.26048E+01
-4.23540E+00,  -6.00300E-01,  4.28305E+01
-2.08800E-01,  4.19390E+00,  4.26097E+01
-7.43000E-01,  1.43040E+00,  4.14124E+01
-2.96460E+00,  -1.81920E+00,  4.13822E+01
-9.52700E-01,  5.76800E-01,  4.14297E+01
-1.49440E+00,  -1.10510E+00,  4.06857E+01
-1.35260E+00,  -6.79200E-01,  4.14239E+01
-3.37300E+00,  -1.59670E+00,  4.06694E+01
-1.23840E+00,  -2.33900E-01,  4.21292E+01
-3.34560E+00,  -1.66570E+00,  4.20955E+01
-1.78970E+00,  -1.43810E+00,  4.14024E+01
-1.58650E+00,  -1.04950E+00,  4.21160E+01
-8.44700E-01,  1.00280E+00,  4.14232E+01
-7.66300E-01,  1.47710E+00,  4.21099E+01
-3.12890E+00,  -1.75680E+00,  4.13830E+01
-1.03220E+00,  1.13400E-01,  4.07005E+01
-3.22540E+00,  -1.68880E+00,  4.06657E+01
-2.11860E+00,  -1.72700E+00,  4.13911E+01
-8.71700E-01,  1.04610E+00,  4.21208E+01
-9.83500E-01,  6.16600E-01,  4.21276E+01
-3.49660E+00,  -1.57200E+00,  4.20987E+01
-2.47840E+00,  -1.88180E+00,  4.06571E+01
-1.10420E+00,  1.89300E-01,  4.21304E+01
-3.02090E+00,  -1.80830E+00,  4.20916E+01
-1.83650E+00,  -1.41560E+00,  4.21061E+01
-3.43500E+00,  -1.58430E+00,  4.13869E+01
-1.20030E+00,  -2.66900E-01,  4.14300E+01
-3.28570E+00,  -1.67720E+00,  4.13845E+01
-2.90780E+00,  -1.83010E+00,  4.06595E+01
-1.30750E+00,  -7.12200E-01,  4.06945E+01
-1.74070E+00,  -1.46300E+00,  4.06744E+01
-1.54210E+00,  -1.07570E+00,  4.14143E+01
-9.19300E-01,  5.33800E-01,  4.06972E+01
-1.39410E+00,  -6.49600E-01,  4.21243E+01
-2.58240E+00,  -1.85550E+00,  4.20921E+01
-6.25200E-01,  1.80560E+00,  4.06606E+01
-1.15880E+00,  -3.03100E-01,  4.06996E+01
-3.07030E+00,  -1.76780E+00,  4.06623E+01
-2.06860E+00,  -1.74640E+00,  4.06632E+01
-7.18100E-01,  1.38060E+00,  4.06772E+01
-3.18710E+00,  -1.74570E+00,  4.20933E+01
-2.16720E+00,  -1.70910E+00,  4.20967E+01
-1.06980E+00,  1.53000E-01,  4.14320E+01
-6.65400E-01,  1.90940E+00,  4.20948E+01
-6.45900E-01,  1.85910E+00,  4.13972E+01
-8.15600E-01,  9.56500E-01,  4.06894E+01
-2.53070E+00,  -1.86850E+00,  4.13843E+01
-1.62790E+00,  1.16680E+00,  4.14114E+01
-1.06300E+00,  2.33860E+00,  4.20663E+01
-4.26800E-01,  2.99220E+00,  4.20382E+01
-4.61500E-01,  2.71810E+00,  4.13535E+01
-5.20400E-01,  2.55880E+00,  4.20640E+01
-1.19890E+00,  2.04880E+00,  4.20803E+01
-3.77770E+00,  -1.35520E+00,  4.21063E+01
-4.73300E-01,  2.77550E+00,  4.20516E+01
-1.49600E+00,  1.48150E+00,  4.21030E+01
-5.06600E-01,  2.50310E+00,  4.13661E+01
-1.31610E+00,  1.71700E+00,  4.13942E+01
-3.64040E+00,  -1.46780E+00,  4.21023E+01
-1.34260E+00,  1.76260E+00,  4.20925E+01
-2.22270E+00,  4.31000E-01,  4.14247E+01
-2.00180E+00,  6.57200E-01,  4.14221E+01
-2.74760E+00,  8.22000E-02,  4.14243E+01
-2.47150E+00,  2.36000E-01,  4.14259E+01
-9.16800E-01,  2.57690E+00,  4.13540E+01
-1.46600E+00,  1.43850E+00,  4.14037E+01
-1.04330E+00,  2.28730E+00,  4.13694E+01
-3.90920E+00,  -1.23580E+00,  4.21102E+01
-2.04320E+00,  6.93500E-01,  4.21251E+01
-2.52090E+00,  2.69000E-01,  4.21319E+01
-2.26810E+00,  4.65500E-01,  4.21292E+01
-5.68100E-01,  2.34210E+00,  4.20754E+01
-3.72700E-01,  3.14790E+00,  4.13251E+01
-1.66160E+00,  1.20740E+00,  4.21119E+01
-2.80060E+00,  1.13400E-01,  4.21316E+01
-5.52400E-01,  2.28830E+00,  4.13776E+01
-4.16900E-01,  2.93290E+00,  4.13399E+01
-1.84260E+00,  9.43100E-01,  4.21193E+01
-1.17590E+00,  2.00030E+00,  4.13828E+01
-3.80600E-01,  3.20890E+00,  4.20236E+01
-1.80510E+00,  9.04800E-01,  4.14175E+01
-2.44600E-01,  3.85940E+00,  4.19734E+01
-3.70710E+00,  -2.05300E-01,  4.21275E+01
-1.99500E-01,  4.10350E+00,  4.19519E+01
-4.15560E+00,  -5.90500E-01,  4.21253E+01
-3.05900E-01,  4.15670E+00,  4.19429E+01
-3.09950E+00,  -1.90000E-03,  4.21300E+01
-3.46680E+00,  -1.15900E-01,  4.21279E+01
-5.07700E-01,  3.60370E+00,  4.12848E+01
-6.87800E-01,  3.22190E+00,  4.20142E+01
-2.27500E-01,  4.14960E+00,  4.19464E+01
-1.99900E-01,  4.00770E+00,  4.12550E+01
-6.20500E-01,  3.30880E+00,  4.13071E+01
-3.97100E-01,  3.89920E+00,  4.12605E+01
-3.98600E-01,  3.96700E+00,  4.19583E+01
-4.18280E+00,  -7.96000E-01,  4.21220E+01
-2.52100E-01,  4.16190E+00,  4.19443E+01
-3.34900E-01,  3.42580E+00,  4.20080E+01
-3.22170E+00,  -4.05000E-02,  4.21292E+01
-3.28300E-01,  4.07070E+00,  4.12455E+01
-4.16520E+00,  -6.20200E-01,  4.21249E+01
-4.13760E+00,  -9.66700E-01,  4.21182E+01
-2.80100E-01,  4.09540E+00,  4.12443E+01
-3.29000E-01,  3.36290E+00,  4.13093E+01
-3.34450E+00,  -7.77000E-02,  4.21284E+01
-8.08400E-01,  2.92570E+00,  4.20333E+01
-4.11440E+00,  -5.03000E-01,  4.21262E+01
-9.33200E-01,  2.63110E+00,  4.20505E+01
-4.18190E+00,  -7.07000E-01,  4.21236E+01
-2.09500E-01,  4.06070E+00,  4.12496E+01
-2.89600E-01,  3.64250E+00,  4.19912E+01
-3.82260E+00,  -2.60700E-01,  4.21274E+01
-2.52700E-01,  4.09310E+00,  4.12453E+01
-4.16520E+00,  -6.20200E-01,  4.21249E+01
-4.03520E+00,  -4.02600E-01,  4.21269E+01
-1.99900E-01,  4.07610E+00,  4.19546E+01
-3.58800E+00,  -1.57700E-01,  4.21276E+01
-7.47700E-01,  3.07360E+00,  4.20240E+01
-4.14360E+00,  -5.60000E-01,  4.21256E+01
-6.77900E-01,  3.16180E+00,  4.13175E+01
-5.70300E-01,  3.51930E+00,  4.19932E+01
-2.85700E-01,  3.57780E+00,  4.12924E+01
-3.27800E-01,  4.14000E+00,  4.19438E+01
-4.52200E-01,  3.75140E+00,  4.12729E+01
-6.28700E-01,  3.37050E+00,  4.20039E+01
-2.09100E-01,  4.12920E+00,  4.19491E+01
-2.42600E-01,  3.79280E+00,  4.12742E+01
-2.79500E-01,  4.16440E+00,  4.19430E+01
-7.95300E-01,  2.86860E+00,  4.13367E+01
-4.12990E+00,  -5.31000E-01,  4.21259E+01
-2.52100E-01,  4.16190E+00,  4.19443E+01
-1.99700E-01,  4.03510E+00,  4.12525E+01
-3.93360E+00,  -3.24900E-01,  4.21272E+01
-3.42400E-01,  4.04720E+00,  4.12475E+01
-4.07810E+00,  -4.50200E-01,  4.21266E+01
-2.28000E-01,  4.08100E+00,  4.12471E+01
-5.63800E-01,  3.45620E+00,  4.12962E+01
-3.06600E-01,  4.08760E+00,  4.12444E+01
-5.12600E-01,  3.66840E+00,  4.19820E+01
-4.55300E-01,  3.81760E+00,  4.19703E+01
-4.17540E+00,  -6.62700E-01,  4.21243E+01
-2.52700E-01,  4.09310E+00,  4.12453E+01
-4.03540E+00,  -1.11090E+00,  4.21142E+01
-7.36200E-01,  3.01500E+00,  4.13274E+01
-3.42100E-01,  4.11650E+00,  4.19457E+01
-4.16790E+00,  -8.83400E-01,  4.21201E+01
-4.18440E+00,  -7.51500E-01,  4.21228E+01
-1.02280E+00,  2.23370E+00,  4.06393E+01
-3.57720E+00,  -1.48090E+00,  4.13898E+01
-2.42210E+00,  2.03100E-01,  4.07002E+01
-5.35900E-01,  2.23120E+00,  4.06395E+01
-4.92200E-01,  2.44410E+00,  4.06272E+01
-2.98630E+00,  -5.93000E-02,  4.07007E+01
-1.59360E+00,  1.12500E+00,  4.06852E+01
-1.15200E+00,  1.94980E+00,  4.06540E+01
-3.90040E+00,  -1.14370E+00,  4.06847E+01
-1.43520E+00,  1.39390E+00,  4.06768E+01
-3.84310E+00,  -1.25100E+00,  4.13961E+01
-3.64820E+00,  -1.38360E+00,  4.06771E+01
-4.06600E-01,  2.87000E+00,  4.05994E+01
-3.22800E-01,  3.29600E+00,  4.05671E+01
-3.04280E+00,  -3.09000E-02,  4.14213E+01
-1.76710E+00,  8.65600E-01,  4.06915E+01
-1.28890E+00,  1.66950E+00,  4.06665E+01
-8.99800E-01,  2.52010E+00,  4.06226E+01
-3.77690E+00,  -1.26640E+00,  4.06810E+01
-3.51380E+00,  -1.49420E+00,  4.06733E+01
-2.17700E+00,  3.96100E-01,  4.06988E+01
-1.96000E+00,  6.20300E-01,  4.06960E+01
-3.64500E-01,  3.08300E+00,  4.05838E+01
-2.69460E+00,  5.14000E-02,  4.07007E+01
-3.71300E+00,  -1.36930E+00,  4.13928E+01
-4.49100E-01,  2.65710E+00,  4.06139E+01
-4.00210E+00,  -6.01900E-01,  4.06963E+01
-3.69190E+00,  -3.07600E-01,  4.06995E+01
-4.02300E+00,  -6.60500E-01,  4.06954E+01
-7.81800E-01,  2.80850E+00,  4.06037E+01
-3.89770E+00,  -4.47500E-01,  4.06982E+01
-2.10000E-01,  3.98780E+00,  4.05049E+01
-3.22550E+00,  -1.31100E-01,  4.07005E+01
-4.10410E+00,  -6.82500E-01,  4.14086E+01
-2.80900E-01,  4.02210E+00,  4.05015E+01
-3.96790E+00,  -1.12720E+00,  4.13992E+01
-2.53500E-01,  4.01990E+00,  4.05017E+01
-3.86660E+00,  -3.47900E-01,  4.14134E+01
-5.57100E-01,  3.38940E+00,  4.05593E+01
-4.09740E+00,  -9.01000E-01,  4.14044E+01
-6.12100E-01,  3.24380E+00,  4.05712E+01
-5.02800E-01,  3.53520E+00,  4.05469E+01
-4.11320E+00,  -7.70400E-01,  4.14070E+01
-4.05930E+00,  -5.52300E-01,  4.14107E+01
-2.40600E-01,  3.72200E+00,  4.05301E+01
-3.64310E+00,  -2.29600E-01,  4.14152E+01
-3.16360E+00,  -6.85000E-02,  4.14199E+01
-4.00840E+00,  -4.72400E-01,  4.14118E+01
-3.79970E+00,  -3.70600E-01,  4.06990E+01
-4.08460E+00,  -6.11000E-01,  4.14098E+01
-4.03300E+00,  -7.02300E-01,  4.06947E+01
-3.42900E-01,  3.97350E+00,  4.05063E+01
-3.40580E+00,  -1.42000E-01,  4.14172E+01
-4.02690E+00,  -9.18700E-01,  4.06903E+01
-7.24400E-01,  2.95330E+00,  4.05934E+01
-4.04210E+00,  -7.89200E-01,  4.06931E+01
-3.57930E+00,  -2.53600E-01,  4.06999E+01
-4.11180E+00,  -8.14400E-01,  4.14062E+01
-3.07300E-01,  4.01410E+00,  4.05023E+01
-3.10570E+00,  -9.59000E-02,  4.07006E+01
-3.93890E+00,  -4.94400E-01,  4.06977E+01
-3.34500E+00,  -1.67500E-01,  4.07004E+01
-3.98880E+00,  -5.73500E-01,  4.06966E+01
-4.01370E+00,  -6.31500E-01,  4.06958E+01
-4.11060E+00,  -7.26300E-01,  4.14078E+01
-2.53500E-01,  4.01990E+00,  4.05017E+01
-2.00000E-01,  3.96230E+00,  4.05074E+01
-4.09400E+00,  -6.40400E-01,  4.14093E+01
-4.06790E+00,  -9.83700E-01,  4.14027E+01
-3.28490E+00,  -1.04700E-01,  4.14184E+01
-3.95700E-01,  3.82730E+00,  4.05203E+01
-4.49000E-01,  3.68120E+00,  4.05339E+01
-4.07280E+00,  -5.81000E-01,  4.14102E+01
-4.09400E+00,  -6.40400E-01,  4.14093E+01
-2.28700E-01,  4.00790E+00,  4.05029E+01
-3.99820E+00,  -1.00070E+00,  4.06884E+01
-2.81500E-01,  3.50900E+00,  4.05491E+01
-4.04410E+00,  -5.24600E-01,  4.14110E+01
-3.52560E+00,  -1.82800E-01,  4.14162E+01
-3.75720E+00,  -2.84300E-01,  4.14143E+01
-4.03950E+00,  -7.45600E-01,  4.06939E+01
-3.96640E+00,  -4.25100E-01,  4.14124E+01
-4.02300E+00,  -6.60500E-01,  4.06954E+01
-2.00000E-01,  3.93490E+00,  4.05100E+01
-4.04080E+00,  -8.32800E-01,  4.06922E+01
-3.97380E+00,  -5.46100E-01,  4.06970E+01
-3.28900E-01,  3.99720E+00,  4.05040E+01
-3.46330E+00,  -2.07500E-01,  4.07002E+01
-6.67800E-01,  3.09850E+00,   4.05826E+01                                          。
【００１７】
本発明を現在最も実際的で好ましい実施形態と見なされるものと関連させて説明してきたが、本発明は開示された実施形態に限定されず、それとは反対に、添付の特許請求の範囲の趣旨および範囲内に含まれる様々な変更形態および等価な構成を包含することが意図されることを理解されたい。
【図面の簡単な説明】
【００１８】
【図１】本発明の好ましい実施形態によるエーロフォイル輪郭を有するノズルブレードを備えるタービンの第１段を示す、タービンの断片化した概略断面図である。
【図２】タービンの第１段用のノズルセグメントのエーロフォイルを示す斜視図である。
【図３】上記の表１のＸ、Ｙ、およびＺ座標に関する輪郭断面の位置を示すノズルのエーロフォイルの概略図である。
【符号の説明】
【００１９】
１７  ロータ
１８  ブレード
２０  縁
２２  縁
２４  側壁
２６  側壁
２８  セグメント
３０  最も外側の線
【図１】
2007198385.tif 000003
【図２】
2007198385.tif 000004
【図３】
2007198385.tif 000005
【外国語明細書】
2007198385000001.pdf